(57)【特許請求の範囲】
【請求項１】
一対の襟元部と、前記襟元部の下方に位置する胴回り部とを有する本体部と、
前記本体部に連結された２つの振袖部と、
前記胴回り部に巻かれる帯部と、
を備え、
前記襟元部の一方は他方に対して固定され、
前記振袖部は、付け根から袖口に沿った方向に直交する方向で延在する複数の振袖凹凸部を有することを特徴とする衣服。
【請求項２】
前記本体部は、上下方向で延在する複数の本体凹凸部を有することを特徴とする請求項１に記載の衣服。
【請求項３】
前記襟元部は、第一襟元生地と、前記第一襟元生地に設けられた第二襟元生地と、前記第二襟元生地に設けられた第三襟元生地とを有し、
前記第一襟元生地、前記第二襟元生地及び前記第三襟元生地には凹凸部が設けられていないことを特徴とする請求項１又は２のいずれかに記載の衣服。
【請求項４】
前記帯部は、第一帯紐部と、前記第一帯紐部から延びる一対の第二帯紐部とを含む帯紐部と、前記帯紐部とは別体となり、前記第一帯紐部を覆うことができる帯結び部と、を有し、
前記第一帯紐部には、第二帯紐部を通すための通過穴が形成されていることを特徴とする請求項１乃至３のいずれか１項に記載の衣服。
【請求項５】
前記第一帯紐部の内部に設けられる厚紙部をさらに備え、
前記厚紙部は、前記帯結び部によって覆われる箇所に設けられる第一厚紙部と、前記第一帯紐部の両端部に設けられる第二厚紙部と、を有することを特徴とする請求項４に記載の衣服。
【請求項６】
前記本体部の外方で巻かれ、巻方向に直交する方向で延在する複数の腰巻凹凸部を有する腰巻部をさらに備えることを特徴とする請求項１乃至５のいずれか１項に記載の衣服。
【請求項７】
前記振袖凹凸部が前記振袖部にしわが入ることを防止することを特徴とする請求項１乃至６のいずれか１項に記載の衣服。
【請求項８】
前記本体部の外方で巻かれ、巻方向に直交する方向で延在する複数の腰巻凹凸部を有する腰巻部をさらに備え
前記本体部は、上下方向で延在する複数の本体凹凸部を有し、
前記振袖凹凸部が前記振袖部の形状を維持させ、前記本体凹凸部が前記本体部の形状を維持させ、前記腰巻凹凸部が前記腰巻部の形状を維持させることを特徴とする請求項１乃至７のいずれか１項に記載の衣服。
【発明の詳細な説明】
【技術分野】
【０００１】  本発明は、本体部と、本体部に連結された振袖部と、本体部の胴回り部に巻かれる帯部とを有する衣服に関する。
【背景技術】
【０００２】  従来から知られている和服に関して、着付けを美しく行う等の観点から発明が提案されることはある。例えば、特許文献１では、和服の着付けでは、おはしょりを折り込む作業が難しく、それを理由に和服を着るのを躊躇う人も多いことを課題として挙げ、おはしょりに見せる擬似おはしょり帯を、和服本体とは別体に形成することを提案している。【０００３】  また、特許文献２では、特許文献１を改良することを挙げ、簡単におはしょりを作る（擬似おはしょり帯で表現する）ことができるとともに、簡単に裾を左右内方に絞り、かつ、簡単に下重ねとなる右下前衽の裾を上重ねとなる左上前衽の裾よりも高めにセットすることが記載されている。
【先行技術文献】
【特許文献】
【０００４】
【特許文献１】特開２００１−１５９００６号公報
【特許文献２】特開２０１３−５３３８２号公報
【発明の概要】
【発明が解決しようとする課題】
【０００５】  本発明は、従来のように和服そのものに関するものではなく、従来の和服とは全く異なる概念からなる、見た目上和服に近い衣服を提供する。
【課題を解決するための手段】
【０００６】  本発明による衣服は、  一対の襟元部と、前記襟元部の下方に位置する胴回り部とを有する本体部と、  前記本体部に連結された２つの振袖部と、  前記胴回り部に巻かれる帯部と、  を備え、  前記襟元部の一方が他方に対して固定され、  前記振袖部が、付け根から袖口に沿った方向に直交する方向で延在する複数の振袖凹凸部を有してもよい。【０００７】  本発明による衣服において、  前記本体部は、上下方向で延在する複数の本体凹凸部を有してもよい。【０００８】  本発明による衣服において、  前記襟元部は、第一襟元生地と、前記第一襟元生地に設けられた第二襟元生地と、前記第二襟元生地に設けられた第三襟元生地とを有し、  前記第一襟元生地、前記第二襟元生地及び前記第三襟元生地には凹凸部が設けられていなくてもよい。【０００９】  本発明による衣服において、  前記帯部は、第一帯紐部と、前記第一帯紐部から延びる一対の第二帯紐部とを含む帯紐部と、前記帯紐部とは別体となり、前記第一帯紐部を覆うことができる帯結び部と、を有し、  前記第一帯紐部には、第二帯紐部を通すための通過穴が形成されてもよい。【００１０】  本発明による衣服は、  前記第一帯紐部の内部に設けられる厚紙部をさらに備え、  前記厚紙部は、前記帯結び部によって覆われる箇所に設けられる第一厚紙部と、前記第一帯紐部の両端部に設けられる第二厚紙部と、を有してもよい。
【発明の効果】
【００１１】  本発明によれば、振袖部及び帯部を有しつつも、襟元部の一方が他方に対して固定される態様を採用することから、見た目上和服に近い衣服としながらも、衣服の着用を容易に行うことができる。また、振袖部が付け根から袖口に沿った方向に直交する方向で延在する複数の振袖凹凸部を有する態様を採用することで、振袖部の形状を維持しやすくでき、和服に近い印象を与えることができる。
【図面の簡単な説明】
【００１２】
【図１】図１は、本発明の実施の形態で用いられる一例による衣服の上衣側を示した正面図である。
【図２】図２は、本発明の実施の形態で用いられる一例による衣服の下衣を示した正面図である。
【図３】図３は、本発明の実施の形態で用いられる変形例１による衣服を示した正面図である。
【図４】図４は、本発明の実施の形態で用いられる衣服の振袖部を示した正面図である。
【図５】図５（ａ）は本発明の実施の形態で用いられる凹凸部を示した断面図であり、図５（ｂ）は図５（ａ）よりも幅（ピッチ）の狭い凹凸部を示した断面図である。
【図６】図６は、本発明の実施の形態で用いられる帯紐部の展開図である。
【図７】図７（ａ）は本発明の実施の形態で用いられる帯結び部を示した背面図であり、図７（ｂ）は図７（ａ）に示す帯結び部を示した側方図である。
【図８】図８は、本発明の実施の形態で用いられる帯紐部に帯結び部を組み合わせた態様を示した図である。
【図９】図９は、図８の状態から、左側の第二帯紐部を通過穴内に通過させて、着用者の腰回りに巻き付けた態様を示した図である。
【図１０】図１０は、図９の状態から、右側の第二帯紐部を着用者の腰回りに巻き付けた態様を示した図である。
【図１１】図１１は、本発明の実施の形態で用いられうる変形例２による衣服の上衣側を示した正面図である。
【図１２】図１２は、本発明の実施の形態で用いられうる変形例３による衣服の上衣側を示した正面図である。
【図１３】図１３は、本発明の実施の形態で用いられうる衣服を着用した際の様子を示した写真である。
【図１４】図１４は、本発明の実施の形態で用いられうる衣服を着用した際の様子を示した別の写真である。
【図１５】図１５は、本発明の実施の形態で用いられうる腰巻部の展開図である。
【発明を実施するための形態】
【００１３】  本実施の形態による衣服は、図１及び図２に示すように、上衣と、上衣の下方に設けられる下衣とを有するツーピースとなっていてもよい。但し、このような態様に限られることはなく、図３に示すようにワンピースになっていてもよい。
【００１４】  図１及び図３に示すように、本実施の形態の衣服は、一対の襟元部１０と、襟元部１０の下方に位置する（着用者の腰回りに位置する）胴回り部４０とを有する本体部２０と、本体部２０に連結された２つの振袖部３０と、を有してもよい。衣服は、図１０に示すように、着用者の胴回り、つまり本体部２０の胴回り部４０に巻かれる帯部１００を有してもよい（図１３も参照）。本実施の形態において胴回り部４０とは、帯部１００で覆われる部分を意味している。本体部２０及び振袖部３０の材料としては、ポリエステルが主たる材料として用いられてもよい。ここで主たる材料というのは、重量で５０％以上を用いていることを意味している。また、本体部２０及び振袖部３０はポリエステルだけから構成されてもよい。
【００１５】  図１及び図３に示すように、一対の振袖部３０の本体部２０側の端部の各々には振袖開口部３９が設けられてもよい。また、本体部２０の振袖部３０側の端部の各々には本体開口部２９が設けられてもよい。一対の振袖部３０の本体部２０側の端部は、振袖部３０を図１及び図３に示すように開いたときに上下方向に沿って延在する直線延在部３１を有してもよい。
【００１６】  図３、図１１及び図１２に示すように、襟元部１０の一方が他方に対して交差するようにして固定されてもよい。一例としては、一方の襟元部１０ａが他方の襟元部１０ｂに対して交差されるような位置で、一方の襟元部１０ａの端部及び他方の襟元部１０ｂの端部の各々が本体部２０の胴回り部４０に縫い付けられてもよい。また、一方の襟元部１０ａが他方の襟元部１０ｂに対して交差されるような位置で、一方の襟元部１０ａの端部が他方の襟元部１０ｂの端部に対して縫い付けられてもよい。このように縫い付けられる箇所が連結部６０になる。なお、一方の襟元部１０ａを他方の襟元部１０ｂに対して交差して固定する手段（連結部６０）としては、このような縫い付けではなくボタン式にしてもよいが、着る際の手軽さや取り扱いの容易さからすると、縫い付ける態様の方が有益である。
【００１７】  図１に示すように、襟元部１０の一方を他方に対して固定する連結部６０は一つだけ設けられてもよいが、このような態様に限られることはなく、図３に示すように、連結部６０が２つ以上設けられ、連結部６０が第一連結部６１及び第二連結部６２を有してもよい。第一連結部６１は一方の襟元部１０ａを本体部２０の胴回り部４０に他方側（図３の左側）で連結し、第二連結部６２は他方の襟元部１０ｂを第一連結部６１よりも一方側（図３の右側）で本体部２０の胴回り部４０に連結してもよい。図３に示す態様では、他方の襟元部１０ｂが一方の襟元部１０ａの裏側に入り込む構成となっている。
【００１８】  図３に示すようなワンピースからなる態様では、連結部６０が胴回り部４０で設けられ、この連結部６０の下方にスリット７０が設けられるようにしてもよい。
【００１９】  図１及び図２に示すように、ツーピースからなる場合には、上衣が、一対の襟元部１０を有する上衣本体部２０ａと、上衣本体部２０ａに連結された２つの振袖部３０と、を有してもよい。なお、ツーピースからなる場合には、本体部２０が上衣本体部２０ａと、下衣に含まれる下衣本体部２０ｂとを有することになる。
【００２０】  図４に示すように、振袖部３０は、付け根３０ａから袖口３０ｂに沿った方向（袖丈方向）に直交する方向で延在する複数の振袖凹凸部３５を有してもよい。複数の振袖凹凸部３５は互いに平行には延在してもよい（図１１及び図１２も参照）。
【００２１】  本実施の形態において振袖部３０の「付け根３０ａから袖口３０ｂに沿った方向」とは、図１に示すように振袖部３０を広げた場合における、振袖部３０の付け根３０ａから袖口３０ｂに沿った方向を意味する。このため、振袖部３０の延在方向（図１の左右方向）に直交する方向が「上下方向」になる。また、「付け根３０ａから袖口３０ｂに沿った方向に直交する方向で延在する」とは、振袖部３０を広げた場合における付け根から袖口に沿った方向に完全に直交して延在する態様だけではなく、付け根から袖口に沿った方向に対して傾斜した状態で延在する態様も含んでいる。なお、本実施の形態において、「Ａ方向で延在する」という文言には、「Ａ方向に完全に一致して延在する」態様だけではなく、「Ａ方向に対して傾斜して延在する」態様も含まれている。
【００２２】  ツーピースとなっている態様において、上衣本体部２０ａは上下方向で延在する複数の上衣凹凸部２５ａを有してもよい（図１、図１１及び図１２参照）。下衣本体部２０ｂも上下方向で延在する複数の下衣凹凸部２５ｂを有してもよい（図２参照）。ワンピースとなっている態様では、本体部２０の全体において上下方向で延在する本体凹凸部２５が設けられてもよい（図３参照）。なお、本実施の形態の「上下方向」とは、着用者が衣服を着て立ち上がった際の上下方向のことを意味している。
【００２３】  図５（ａ）（ｂ）では、振袖凹凸部３５、上衣凹凸部２５ａ、下衣凹凸部２５ｂ及び本体凹凸部２５の形状の断面の一例を示している。これら振袖凹凸部３５、上衣凹凸部２５ａ、下衣凹凸部２５ｂ及び本体凹凸部２５の断面は、図５（ａ）（ｂ）で示されるように波形状を有するプリーツとなってもよい。なお、図５（ｂ）は図５（ａ）よりも幅（ピッチ）の狭い態様を示した図である。このようなプリーツを採用した場合には、容易な製造方法で振袖部３０の形状を維持することができる点で有益である。
【００２４】  振袖凹凸部３５、上衣凹凸部２５ａ、下衣凹凸部２５ｂ及び本体凹凸部２５の数は適宜変更することができる。特に振袖凹凸部３５に関して言えば、その数を調製することで、振袖部３０の形状を維持することができる。一例として、１ｃｍあたり３〜８つの振袖凹凸部３５が設けられてもよく、振袖部３０の形状を維持する観点からすると１ｃｍあたり４つ以上の振袖凹凸部３５が設けられている態様が有益である。
【００２５】  振袖凹凸部３５、上衣凹凸部２５ａ、下衣凹凸部２５ｂ及び本体凹凸部２５の幅（ピッチ）は実質的に同じであってもよいが、異なっていてもよい。一例としては、振袖凹凸部３５の幅が上衣凹凸部２５ａの幅と実質的に同じであるが、振袖凹凸部３５及び上衣凹凸部２５ａの幅は下衣凹凸部２５ｂの幅と異なってもよい。本実施の形態において「幅」が「実質的に同じ」とは、一方の凹凸部の幅の平均値が他方の凹凸部の幅の平均値の±１０％以内であることを意味し、例えば、振袖凹凸部３５の幅が上衣凹凸部２５ａの幅と実質的に同じとは、振袖凹凸部３５の幅の平均値Ｗ１と上衣凹凸部２５ａの幅の平均値Ｗ２とが、Ｗ２×０．９≦Ｗ１≦Ｗ２×１．１となることを意味する。
【００２６】  図１１及び図１２では、振袖凹凸部３５及び上衣凹凸部２５ａの幅（ピッチ）が実質的に同じ態様が示されている。なお、図１１では、衣服の内表面にも上衣凹凸部２５ａが設けられているが、このような態様に限られることはなく、図１２に示すように、衣服の外表面にだけ上衣凹凸部２５ａが設けられ衣服の内表面に上衣凹凸部２５ａが設けられないようにしてもよい。同様に、振袖凹凸部３５、下衣凹凸部２５ｂ及び本体凹凸部２５に関しても、衣服の外表面にだけ振袖凹凸部３５、下衣凹凸部２５ｂ及び／又は本体凹凸部２５が設けられ衣服の内表面にこれらが設けられなくてもよい。
【００２７】  図１、図１１及び図１２に示すように、襟元部１０は、第一襟元生地１１と、第一襟元生地１１に設けられた第二襟元生地１２と、第二襟元生地１２に設けられた第三襟元生地１３とを有してもよい。第一襟元生地１１、第二襟元生地１２及び第三襟元生地１３には凹凸部が設けられていなくてもよい。但し、図３に示すように、襟元部１０に襟元凹凸部１５が設けられてもよい。
【００２８】  第一襟元生地１１、第二襟元生地１２及び第三襟元生地１３の各々は異なる色から構成されてもよい。例えば、第一襟元生地１１は黄色からなり、第二襟元生地１２は赤色からなり、第三襟元生地１３は緑色からなってもよい。第一襟元生地１１、第二襟元生地１２及び第三襟元生地１３の各々は異なる大きさとなっており、第一襟元生地１１の面積＞第二襟元生地１２の面積＞第三襟元生地１３の面積となってもよい。この態様においては、図１に示すように、第二襟元生地１２が第三襟元生地１３の内周縁からはみ出し、第一襟元生地１１が第二襟元生地１２の内周縁からはみ出すことで、第一襟元生地１１、第二襟元生地１２及び第三襟元生地１３の各々を目視できるようにしてもよい。第一襟元生地１１、第二襟元生地１２及び第三襟元生地１３の外周縁は同じ縫い糸で縫われてもよい。
【００２９】  ツーピースとなっている態様では、図１に示すように、上衣の下端に下衣本体部２０ｂでの透けを防止するための下衣裏生地８０が設けられてもよい。下衣裏生地８０には凹凸部が設けられなくてもよい。なお、下衣裏生地８０の主たる材料もポリエステルとなってもよい。
【００３０】  図８に示すように、帯部１００は、帯紐部１１０と、帯紐部１１０とは別体となっている帯結び部１５０とを有してもよい。図６に示すように、帯紐部１１０は、第一帯紐部１１１と、第一帯紐部１１１よりも幅が細くなり、第一帯紐部１１１から延びる一対の第二帯紐部１１２とを有してもよい。図７に示すように、帯結び部１５０は、結び開口部１５１を有してもよい。そして、この結び開口部１５１内に第一帯紐部１１１を位置づけることで、第一帯紐部１１１を帯結び部１５０で覆うことができるようになってもよい（図８参照）。
【００３１】  図６に示すように、第一帯紐部１１１の内部には、厚紙部１３０（例えばダンボールのような厚紙）が設けられてもよい。一例としては、帯結び部１５０で覆われる箇所に第一厚紙部１３１が設けられ、第一帯紐部１１１の両端部に第二厚紙部１３２が設けられてもよい。第一厚紙部１３１の左右方向（図６の左右方向）の幅は第二厚紙部１３２の左右方向の幅よりも長くなってもよい。第一厚紙部１３１の左右方向の幅は帯結び部１５０の左右方向の幅よりも長くなってもよいし、第一厚紙部１３１の左右方向の幅は帯結び部１５０の左右方向の幅と実質的に同じ長さになってもよい。但し、これらに限られず、第一厚紙部１３１の左右方向の幅は帯結び部１５０の左右方向の幅よりも短くなってもよい。
【００３２】  第一帯紐部１１１には、一対の第二帯紐部１１２のいずれか１つを通すための通過穴１１５が形成されてもよい。図６に示す態様では、第一厚紙部１３１が設けられている箇所よりも右側に通過穴１１５が形成されており、図６の左側の第二帯紐部１１２が通過穴１１５を通過可能になっている（図９参照）。通過穴１１５は、第一帯紐部１１１の上下方向の中心位置にその中心位置が位置づけられるようになってもよい。図１０に示すように第一帯紐部１１１を胴体の周りに巻き付けることでき、一対の第一帯紐部１１１の結び目を、帯結び部１５０の結び開口部１５１内に位置付けられることもできる。
【００３３】《作用・効果》  次に、上述した構成からなる本実施の形態による作用・効果であって、未だ説明していないものを中心に説明する。なお、「作用・効果」で述べるあらゆる構成は、本実施の形態の構成として利用することができる。
【００３４】  図１及び図３に示すように、振袖部３０及び帯部１００を有しつつも、襟元部１０の一方が他方に対して固定される態様を採用した場合には、見た目上和服に近い衣服としながらも（図１３も参照）、衣服の着用を容易に行うことができる。
【００３５】  また、図４、図１１及び図１２に示すように、振袖部３０が付け根から袖口に沿った方向に直交する方向で延在する複数の振袖凹凸部３５を有する態様を採用した場合には、振袖部３０の形状を維持しやすくでき、和服に近い印象を与えることができる。つまり、振袖部３０に複数の振袖凹凸部３５を設けない場合には、振袖部３０が柔らかなものとなって形が崩れやすくなる。他方、振袖部３０が上下方向で延在する複数の振袖凹凸部３５を有する態様を採用した場合には、（ワイヤ等を用いずとも）振袖部３０の形状を維持することができ、大きな振袖部３０を簡易に実現することができ、ひいては高いデザイン性を実現できる。このような形状を維持する観点からすると、複数の振袖凹凸部３５は互いに平行には延在していることが有益である。また、このような振袖凹凸部３５を設けることで、伸縮性を持たせつつ、しわが入ることを防止できる点で有益である。
【００３６】  また、振袖部３０の材料としてポリエステルが主たる材料として用いた場合には、安価で軽いという特性を有しつつ、振袖部３０の形状を崩れにくくすることができる点で、非常に有益である。また、ポリエステルを主たる材料として用いた場合には、べたつき難いという特性も実現できる点で有益である。
【００３７】  図１、図３及び図４に示すように、一対の振袖部３０の本体部２０側の端部（内周端部）が直線延在部３１を有する態様を採用した場合には、内周側の端部において長い距離にわたり振袖凹凸部３５を設けることができるので、振袖部３０の形状がより崩れないようにすることができる点で有益である。
【００３８】  一方の襟元部１０ａの端部及び他方の襟元部１０ｂの端部の各々が本体部２０の胴回り部４０に縫い付けられる態様を採用した場合には胸元を大きく開くことができ、高いデザイン性を実現できる（図１、図１１及び図１２参照）。
【００３９】  図１及び図３に示すように、一対の振袖部３０の本体部２０側の端部の各々に振袖開口部３９が設けられる態様を採用することで、機能性を高めることができる点で有益である。また、同様に、本体部２０の振袖部３０側の端部の各々に本体開口部２９が設けられる態様を採用することで、機能性を高めることができる点で有益である。
【００４０】  図３に示すように、ワンピースからなる態様において、連結部６０が胴回り部４０に設けられ、胴回り部４０の下方ではスリット７０が設けられる態様を採用した場合には、機能性を高めつつ、デザイン性を高めることができる点で有益である。
【００４１】  図３に示すように、一方の襟元部１０ａを本体部２０の胴回り部４０に連結する第一連結部６１と、他方の襟元部１０ｂを第一連結部６１よりも一方側（図３の右側）で本体部２０の胴回り部４０に連結する第二連結部６２とを有する態様を採用する場合には、襟元部１０をより立体的に公差させることができる点で有益である。
【００４２】  ツーピースとなっている態様において、上下方向で延在する複数の上衣凹凸部２５ａ及び／又は複数の下衣凹凸部２５ｂが設けられている場合には、上衣及び／又は下衣に関してしわが入ること等を防止できる点で有益である。また、ワンピースとなっている態様において、上下方向で延在する複数の本体凹凸部２５が設けられている場合には、本体部２０においてしわが入ること等を防止できる点で有益である。
【００４３】  振袖凹凸部３５と、上衣凹凸部２５ａ及び／又は下衣凹凸部２５ｂ、又は本体凹凸部２５の幅（ピッチ）が実質的に同じである態様を採用した場合には、同じような見た目の印象を与えることができる点で有益である（図１１及び図１２参照）。
【００４４】  他方、振袖凹凸部３５と、上衣凹凸部２５ａ及び／又は下衣凹凸部２５ｂ、又は本体凹凸部２５の幅（ピッチ）を異ならせることで、異なる印象を与えることができる。なお、振袖凹凸部３５は、振袖部３０の形状を維持するための意味合いが強いことから、振袖凹凸部３５の幅を細かくして、本体部２０（ツーピースとなっている態様の上衣本体部２０ａ及び下衣本体部２０ｂも含む。）に設けられる凹凸部の幅よりも小さくするようにしてもよい。振袖部３０の形状を維持する観点からは、例えば１ｃｍあたり４つ以上の振袖凹凸部３５が設けられてもよい。但し、振袖部３０の形状を維持するための要素としては、生地の厚みや材料等も挙げることができるので、これらを考慮しつつ、振袖凹凸部３５の幅を適宜調整するようにしてもよい。
【００４５】  図１に示すように、襟元部１０が、第一襟元生地１１と、第一襟元生地１１に設けられた第二襟元生地１２と、第二襟元生地１２に設けられた第三襟元生地１３とを有する態様を採用した場合には、胸元を大きく空けながら、かつ胸元に視線をもっていくことができることから、高いデザイン性を実現できる。
【００４６】  本体部２０（ツーピースとなっている態様の上衣本体部２０ａ及び下衣本体部２０ｂも含む。）に凹凸部が設けられつつも、第一襟元生地１１、第二襟元生地１２及び第三襟元生地１３には凹凸部が設けられていない態様を採用した場合には、本体部２０と襟元部１０とで異なる印象を与えることができる点で有益である。この観点からすると、第一襟元生地１１、第二襟元生地１２及び第三襟元生地１３の各々が異なる色から構成されることは有益である。また、図１、図１１及び図１２に示すように、第二襟元生地１２が第三襟元生地１３の内周縁からはみ出し、第一襟元生地１１が第二襟元生地１２の内周縁からはみ出すことで、第一襟元生地１１、第二襟元生地１２及び第三襟元生地１３の各々を目視できるようにすることも有益である。なお、製造のし易さからすると、第一襟元生地１１、第二襟元生地１２及び第三襟元生地１３の外周縁が同じ縫い糸で縫われることは有益である。
【００４７】  図６乃至図１０に示すように、帯部１００が、帯紐部１１０と、帯紐部１１０とは別体となっている帯結び部１５０とを有する態様を採用した場合には、本実施の形態による衣服を容易に着ることができる点で有益である。
【００４８】  図６に示すように、帯紐部１１０が、第一帯紐部１１１と、第一帯紐部１１１よりも幅が細くなり、第一帯紐部１１１から延びる一対の第二帯紐部１１２とを有する態様を採用した場合には、和服の帯のような見た目を第一帯紐部１１１で実現しながら、一対の第二帯紐部１１２を結ぶことで帯紐部１１０を胴体部周りに巻き付けて固定することができ、和服のように着付けが必要なくなる点で有益である。本態様によれば、自分の腹部側において結び開口部１５１内で第二帯紐部１１２を結んだ後で、結び目、帯紐部１１０及び帯結び部１５０を回転させて背中側に持って行くことで、容易に和服のような装いにすることができる（図１３参照）。また、結び開口部１５１内に第二帯紐部１１２の結び目も位置づけることで、第二帯紐部１１２の結び目を目立たないようにし、見た目を良くすることができる。
【００４９】  図６に示すように、第一帯紐部１１１の内部のうち帯結び部１５０で覆われる箇所に第一厚紙部１３１を設けることで、帯結び部１５０に対応する箇所の強度を安価に高めることができる点で有益である。
【００５０】  また、第一帯紐部１１１の内部のうち第一帯紐部１１１の両端部に第二厚紙部１３２を設けることで、第一厚紙部１３１とも相まって、第一帯紐部１１１全体の形状を保つことができる点で有益である。
【００５１】  第一帯紐部１１１に一対の第二帯紐部１１２のいずれか１つを通すための通過穴１１５が設けられる態様を採用することで、第二帯紐部１１２を第一帯紐部１１１に対して好ましい位置（特に上下方向位置）に位置決めしつつ、第二帯紐部１１２を結ぶことができる点で有益である。特に通過穴１１５の上下方向の中心位置が第一帯紐部１１１の上下方向の中心位置に位置づけられる態様を採用した場合には、第二帯紐部１１２を第一帯紐部１１１の上下方向の中心位置に位置付けられるようにすることができる点で有益である。また、この観点からすると、第二帯紐部１１２が通過穴１１５を通過している際に上下方向に実質的な間隙が設けられないように、第二帯紐部１１２及び通過穴１１５の上下方向の幅が設計されることが有益である。
【００５２】  図１４に示すように、本体部２０の外方で巻かれる腰巻部１６０が設けられてもよい。この腰巻部１６０は、巻方向（図１５の左右方向）に直交する方向で延在する複数の腰巻凹凸部１６５を有してもよい。腰巻凹凸部１６５も波形状を有するプリーツとなってもよい。また、腰巻部１６０でも、ポリエステルが主たる材料として用いられてもよい。
【００５３】  腰巻部１６０は、腰回り側に位置する端部（図１５の上方側端部）で取付部１６６を有してもよい。取付部１６６は複数（図１５では３つ）のボタン部１６６ａを有してもよいし、複数のホック部を有してもよい。複数のボタン部１６６ａや複数のホック部を設けることで、複数の位置で取り付けることができ、着用者のウェストに合致した大きさに腰巻部１６０の位置を調整できる。なお、図１５に示す態様では、雄型のボタン部１６６ａが左側に３つ設けられ、雌型のボタン部１６６ａが右側に３つ設けられる態様となっている。
【００５４】  複数の腰巻凹凸部１６５を有する態様を採用した場合には、形状を一定程度維持することができる。このため、ウェーブ形状のタックを維持でき、着用者が移動した場合であっても、ウェーブ形状を維持できる。また、一定の形状を維持できることから、重力に負けて腰巻部１６０が垂れ下がることを防止でき、ワイヤ等を用いずとも一定の形状を維持できるボンディング効果も期待できる。
【００５５】  上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。出願当初の特許請求の範囲の記載は本件特許明細書の範囲内で適宜変更することもでき、その範囲を拡張することもできる。
【符号の説明】
【００５６】１０        襟元部１１        第一襟元生地１２        第二襟元生地１３        第三襟元生地２０        本体部２５        本体凹凸部３０        振袖部４０        胴回り部１００      帯部１１０      帯紐部１１５      通過穴１１１      第一帯紐部１１２      第二帯紐部１３０      厚紙部１３１      第一厚紙部１３２      第二厚紙部１５０      帯結び部
【要約】  衣服は、一対の襟元部（１０）と、襟元部（１０）の下方に位置する胴回り部（４０）とを有する本体部（２０）と、前記本体部（２０）に連結された２つの振袖部（３０）と、前記胴回り部（４０）に巻かれる帯部（１００）と、を有する。前記襟元部（１０）の一方は他方に対して固定される。前記振袖部（３０）は、前記振袖部（３０）の付け根（３０ａ）から袖口（３０ｂ）に沿った方向に直交する方向で延在する複数の振袖凹凸部（３５）を有する。【図１】
0006422602.tif 000002
【図２】
0006422602.tif 000003
【図３】
0006422602.tif 000004
【図４】
0006422602.tif 000005
【図５】
0006422602.tif 000006
【図６】
0006422602.tif 000007
【図７】
0006422602.tif 000008
【図８】
0006422602.tif 000009
【図９】
0006422602.tif 000010
【図１０】
0006422602.tif 000011
【図１１】
0006422602.tif 000012
【図１２】
0006422602.tif 000013
【図１３】
0006422602.tif 000014
【図１４】
0006422602.tif 000015
【図１５】
0006422602.tif 000016